(57)【要約】      （修正有）【課題】積載物を固定するのに作業者一人で短時間に作業が完了できるパレット積載物の固定手段を提供する。【解決手段】３本の固定ベルトと荷崩れ防止網が長方形に配置された積載物固定ベルトの最上部及び最下部に位置する固定ベルトの４箇所に積載物固定開始用挿入部材を設け、該固定開始挿入部材が長手方向の積載物固定ベルトの最上部及び最下部に位置する固定ベルトと直角に交わり、固定ベルトから１５０ｍｍｍから２００ｍｍ突出しており、短手方向の積載物固定ベルトの幅を７００ｍｍから１２００ｍｍの形態とする。【選択図】図４
0003131770.tif 000002
【実用新案登録請求の範囲】
【請求項１】
３本の固定ベルトと荷崩れ防止網が長方形に配置された積載物固定ベルトであって、該積載物固定ベルトの最上部及び最下部に位置する固定ベルトの４箇所に積載物固定開始用挿入部材を設けた事を特徴とするパレット積載物固定ベルト。
【請求項２】
前記、長方形に配置された積載物固定ベルトの長手方向末端の一部５００ｍｍから７００ｍｍが、折り曲げられる構造になっている事を特徴とする請求項１記載のパレット積載物固定ベルト。
【請求項３】
前記、請求項１記載の固定開始用挿入部材が長方形に配置された積載物固定ベルトの最上部及び最下部に位置する固定ベルトと直角に交わり、該固定ベルトより１５０ｍｍから２００ｍｍ突出している事を特徴とする請求項１及び２記載のパレット積載物固定ベルト。
【請求項４】
前記、請求項１から３記載の積載物固定ベルトの短手方向の幅を７００ｍｍから１２００ｍｍの形態とさせる事を特徴とする積載物固定ベルト。
【考案の詳細な説明】
【技術分野】
【０００１】  本考案は荷物運搬用パレット積載物の荷崩れを防止する固定ベルトに関する。
【背景技術】
【０００２】従来、荷物運搬用パレット積載物の荷崩れを防止する手段としては、一般には積載物の周囲にストレッチフィルムを幾重にも巻いて積載物の荷崩れを防止してきた。ストレッチフィルムを幾重にも巻いて固定する方法では、その作業時間が長くかかる事とストレッチフィルムは一度の使い切り使用で再利用できない事とストレッチフィルムの廃棄費用がかかる欠点を持っていた。又、廃棄したストレッチフィルムを焼却した場合、多量の炭酸ガスを発生させるため、環境への影響も好ましい状態ではなかった。これらの欠点を改善する事と、積載物を固定するのに作業者一人で短時間に作業が完了できる手段の提供も望まれていた。
【考案の開示】
【考案が解決しようとする課題】
【０００３】本考案は荷物運搬用のパレット積載物を固定する手段として、ストレッチフィルムに代わる固定手段の提供と、作業者一人で短時間にパレット積載物を固定できる手段の提供にある。
【課題を解決するための手段】
【０００４】上記の課題を解決すべく本考案者らは鋭意検討した結果、上記の課題は次のような手段によって解決できる事がわかった。
即ち、３本の固定ベルトと荷崩れ防止網が長方形に配置された積載物固定ベルトの最上部と最下部に位置する固定ベルトの４箇所に、積載物固定ベルトの固定開始用挿入部材を設け、該固定開始用挿入部材が長手方向の積載物固定ベルトの最上部と最下部に位置する固定ベルトと直角に交わり、該固定ベルトより１５０ｍｍから２００ｍｍ突出している事及び短手方向の積載物固定ベルトの幅を７００ｍｍから１２００ｍｍの形態とする事によって前記課題が解決できる事がわかった。
又、長方形に配置された固定ベルトの４箇所に積載物固定ベルトの固定開始用挿入部材を設けたことにより、積載物固定ベルトがどの位置からでも、又、表裏関係無く積載物固定ベルトの作業が開始できる。つまり、どのような状態からでも積載物の固定作業の開始を可能としているので、作業時間が短縮できる態様である。
【考案の効果】
【０００５】長方形に配置された固定ベルトの４箇所の角に積載物の固定開始用挿入部を配置し、そのいずれかの挿入部１箇所を仮固定して、積載物の固定作業を開始する態様にする事で、作業者一人でパレット積載物の固定作業が出来る事を可能とした。又、本考案の積載物固定ベルトを用いる事によって、従来から行なってきたストレッチフィルムを幾重にも巻く作業時間の短縮と、ストレッチフィルムの廃棄作業の改善と廃棄費用の削減及びストレッチフィルムの焼却処理による炭酸ガスの排出の削減などに結びつけることが可能となる。
【考案を実施するための最良の形態】
【０００６】作業者一人でパレット上の積載物を固定する場合において、図１の積載物固定開始部材１ａ、１ｂ、１ｃ、１ｄのいずれか一箇所を積載物の段ボール箱２段目と段ボール箱３段目間のどこか一箇所に挿入し、積載物固定ベルトを一時的に仮固定し、積載物の周囲に図１の２ａ、２ｂ、２ｃ、３ａ、３ｂ、３ｃ、９ａ、９ｂ、９ｃ及び４からなる積載物固定ベルトを巻き付け、７ａ、７ｂ、７ｃの締め金具に６ａ、６ｂ、６ｃの締めベルトを通して固定する。望ましい形態は図３、図４の積載状態となる。
【実施例】
【０００７】以下、本考案を図面を用いて詳細に説明する。
図１は本考案の積載物固定ベルトの立面図である。２ａ、２ｂ、２ｃ、３ａ、３ｂ、３ｃ、９ａ、９ｂ、９ｃ及び４は本考案の積載物固定ベルトの本体である。
１ａ、１ｂ、１ｃ、１ｄは本考案の積載物固定ベルトの固定開始用挿入部材である。２ａ、２ｂ、２ｃ、３ａ、３ｂ、３ｃ、９ａ、９ｂ、９ｃは積載部を固定する固定ベルトであり、４は固定ベルト本体の中で荷崩れ防止機能を持っている網である。５ａ、５ｂ、５ｃは７ａ、７ｂ、７ｃの締め金具と連結させる締めベルトである。６ａ、６ｂ、６ｃは７ａ、７ｂ、７ｃの金具に通し、積載物を固定する締めベルトである。パレット上の積載物を固定する場合は、１ａ、１ｂ、１ｃ、１ｄのいずれか一箇所を積載物の段ボール箱と段ボール箱の間に挿入し、積載物固定ベルトを一時的に仮固定し、積載物の周囲に２ａ、２ｂ、２ｃ、３ａ、３ｂ、３ｃ、９ａ、９ｂ、９ｃ及び４からなる積載物固定ベルトを巻き付け、７ａ、７ｂ、７ｃの締め金具に６ａ、６ｂ、６ｃの締めベルトを通して固定すれば良い態様になっている。本考案の積載物固定ベルトは一般には１１００ｍｍ×１１００ｍｍサイズのパレットを基準としているが、小さなパレット例えば８５０ｍｍ×８５０ｍｍサイズのパレットの積載物を固定する場合は９ａ、９ｂ、９ｃを内側に折り曲げられる構造になっている。又、この作業は作業者一人で出来る事が大きな特徴である。【０００８】図１の本考案の積載物固定ベルトの材質と寸法について以下に説明する。
１ａ、１ｂ、１ｃ、１ｄ、２ａ、２ｂ、２ｃ、３ａ、３ｂ、３ｃ、５ａ、５ｂ、５ｃ、６ａ、６ｂ、６ｃ、９ａ、９ｂ、９ｃの材質はナイロン、ポリエステル、ポリプロピレン等の合成繊維で織られた厚さ２ｍｍから４ｍｍのベルトが好ましい態様であり、再利用に耐える強度がある。４の材質もナイロン、ポリエステル、ポリプロピレン等が好ましい態様である。１ａ、１ｂ、１ｃ、１ｄの寸法は幅５５ｍｍで長さ１５０ｍｍから２００ｍｍである。２ａ、２ｂ、２ｃの寸法は幅５５ｍｍで長さ３５００ｍｍから４２００ｍｍである。３ａ、３ｂ、３ｃの寸法は５５ｍｍで長さ７００ｍｍから１２００ｍｍである。
５ａ、５ｂ、５ｃの寸法は幅２５ｍｍで長さ１１０ｍｍから１５０ｍｍである。６ａ、６ｂ、６ｃの寸法は幅２５ｍｍで長さ１０００ｍｍから１２００ｍｍである。４の荷崩れ防止網の寸法は幅７００ｍｍから１２００ｍｍで長さ３５００ｍｍから４２００ｍｍ、網の糸の太さは１ｍｍから４ｍｍで、積載される段ボール箱の表示が判読できる態様になっている。７ａ、７ｂ、７ｃの固定金具は６ａ、６ｂ、６ｃの幅２５ｍｍの締めベルトを通して固定できる態様となっている。【０００９】図２は１１００ｍｍ×１１００ｍｍサイズのパレットの積載物を固定する場合８ａの部分の拡大図である。８ａ、８ｂ、８ｃは９ａ、９ｂ、９ｃと３ｃの固定ベルトが交差する先端に袋状に位置し、締めベルト６ａ、６ｂ、６ｃを８ａ、８ｂ、８ｃの袋状部材の巾を通して７ａ、７ｂ、７ｃの固定金具で固定する態様である。【００１０】図３は実際の積載物をパレット上に積み、本考案の積載物固定ベルトで積載物を固定した積載状態図である。段ボール箱３段の積載物が本考案の積載物固定ベルトによって固定された状態を示す。１ａの固定開始用挿入部を固定開始時は段ボール箱２段目と３段目の間に挿入して仮固定し、固定開始作業を行ない、段ボール箱を一周して７ａ、７ｂ、７ｃの固定金具に６ａ、６ｂ、６ｃの締めベルトを通して固定作業をする。この時、積載物固定ベルトの上部が３段目の段ボール箱にかかるようにして締め付けると、パレット上の積載物が固定できる態様となっている。従って、１ａ、１ｃの固定開始用挿入部材は段ボール箱２段目と３段目の間に挟まれているのと２ａ、９ａの締めベルトに隠れてこの図では観察できない状態を示している。一方、１ｂ、１ｄはこの場合、固定開始用挿入部の機能を働かせる必要が無いのでフリーの状態である。１ｂ、１ｄの固定開始用挿入部は本考案の積載物固定ベルトが上下逆の位置になった場合でも、積載物固定ベルトを上下反転させる事無く、そのまま１ｂ、１ｄの固定開始用挿入部を上下の段ボール箱の間に挿入することによって固定開始作業ができる態様となっている。【００１１】図４は８５０ｍｍ×８５０ｍｍサイズの小さなパレットに段ボール箱３段の積載物を本考案の積載物固定ベルトで固定した積載状態図である。９ａ、９ｂ、９ｃの部分、約５００ｍｍを内側に折り返し、段ボール箱３段の積載物を固定している。この場合、積載物固定ベルトは３ｂ部分で折り返し、３ｃ部分が手前にくる態様となる。
【産業上の利用可能性】
【００１２】パレットに荷物を積載し運搬する運搬作業者及び輸送業界で、パレットへの荷物、例えば段ボール箱等を数段に重ねて積載し、該荷物を作業者一人で固定する場合において、従来利用していたストレッチフィルムに代わって本考案のパレット積載物固定ベルトが利用できる。
【図面の簡単な説明】
【００１３】
【図１】積載物固定ベルトの立面図
【図２】積載物固定ベルトの袋状部材の拡大図
【図３】積載物をパレット上に積み積載物固定ベルトで積載物を固定した状態図
【図４】積載物を小パレット上に積み積載物固定ベルトの折り返し部を内側に収納して積載物を固定した状態図である。
【符号の説明】
【００１４】    １ａ、１ｂ、１ｃ、１ｄ：固定開始用挿入部材
２ａ、２ｂ、２ｃ      ：固定ベルト（長手方向）
３ａ、３ｂ、３ｃ      ：固定ベルト（短手方向）
４                    ：荷崩れ防止網
５ａ、５ｂ、５ｃ      ：締めベルト
６ａ、６ｂ、６ｃ      ：締めベルト
７ａ、７ｂ、７ｃ      ：締め金具
８ａ、８ｂ、８ｃ      ：袋状締めベルト通し部材
９ａ、９ｂ、９ｃ      ：固定ベルト（折り返し部）
１０                    ：パレット
【図１】
0003131770.tif 000003
【図２】
0003131770.tif 000004
【図３】
0003131770.tif 000005
【図４】
0003131770.tif 000006